(57)【要約】【課題】  作業者の作業工数を減らし、専門的な知識を不要とする監視システム及び監視装置と監視端末並びにコンピュータ・ソフトウエアを得る。【解決手段】  監視する設備の監視データを送信する監視端末１４１と、通信制御部１２１、記憶部１２２、表示部１２３、入力部１２４及び制御部１２５を備え、監視端末１４１からの監視データを受信し表示する監視装置１１１とからなる監視システムであって、監視装置１１１は、監視データを表示する際に監視データの変換に使用する設定データを監視端末１４１から受信し記憶部１２２に記憶する手段を有する。【選択図】        図１
2005115436.tif 000002
【特許請求の範囲】
【請求項１】
監視する設備の監視データを送信する監視端末と、通信制御部、記憶部、表示部、入力部及び制御部を備え、前記監視端末からの監視データを受信し表示する監視装置とからなる監視システムであって、
前記監視装置は、監視データを表示する際に該監視データの変換に使用する設定データを監視端末から受信し記憶部に記憶する手段を有することを特徴とする監視システム。
【請求項２】
通信手段と、通信プログラムを記憶する記憶装置と、通信プログラムを実行するＣＰＵとを備える監視装置であって、
監視する設備の監視データを送信する監視端末からの設定データを受信して記憶装置に記憶し、該記憶装置に記憶した設定データを使用して、監視端末が送信する数値データを、信号名称や信号のアナログ数値や接点信号のオンオフの値に変換して表示する手段を有することを特徴とする監視装置。
【請求項３】
請求項２記載の監視装置において、
操作員が入力した入力データを利用し、上記監視端末と送受信して試運転時チェックリストを作成する手段を有することを特徴とする監視装置。
【請求項４】
監視データを受信し表示する監視装置に、監視する設備の監視データを送信する監視端末であって、
前記監視装置が監視データを表示する際に該監視データの変換に使用する設定データを、該監視装置に送信する手段を有することを特徴とする監視端末。
【請求項５】
通信手段と、通信プログラムを記憶する記憶装置と、通信プログラムを実行するＣＰＵとを備える監視装置に使用されるコンピュータ・ソフトウエアであって、
監視する設備の監視データを送信する監視端末からの設定データを受信して記憶装置に記憶する機能と、該記憶装置に記憶した設定データを使用して、監視端末が送信する数値データを、信号名称や信号のアナログ数値や接点信号のオンオフの値に変換して表示する機能とをコンピュータに実現させるプログラムからなるコンピュータ・ソフトウエア。
【発明の詳細な説明】
【技術分野】
【０００１】
本発明は、監視システム及び監視装置と監視端末並びにコンピュータ・ソフトウエアであり、特に上下水道の給水、配水設備や、産業用の生産設備、販売データ収集設備等を監視する技術に関する。
【背景技術】
【０００２】
従来から、監視端末と監視装置が通信して設備を監視するシステムが知られている。従来の監視システムの例には、特許文献１などがある。
【０００３】
上記に示す従来の監視システムでは、例えば、下水道を排水処理する所謂マンホールポンプと呼ばれるものを監視する場合には、マンホールの設置されている設備に対して、その監視を正確に実施する為の監視装置の設置工事が行われる。
【０００４】
この現場側のマンホール制御盤内に設置された監視端末と、中央側の監視センター等で統括的に監視する場合に、設置工事終了後に、現場側の監視端末と中央側の監視装置との間で、仕様の通りに監視、若しくは制御出来るようにする為の、通信機能、通信動作を含む初期設定作業、試運転作業、若しくは初期動作確認作業を実施する必要がある。
【０００５】
従来、このような監視システムを稼動開始するために、この試運転時の作業量が非常に大きく、監視システムを構築するコストを大きくしていたという問題があった。
【０００６】
また、従来、監視システムの試運転時には、機場側の監視端末の設定データとほとんど同一の設定データを上位側の監視装置にも設定していた。しかも、監視端末と監視装置オペレータは通常別の担当者であるため、これらの設定データは、個別の入力作業によって入力されていた。このため、設定データを入力する作業工数は二重に必要だった。
【０００７】
また、双方のデータはオペレータの手作業により入力されていたため、それらのデータ入力ミスがないかどうか、試運転時に確認する必要があった。
【０００８】
また、従来の監視システムでは、通信の手段をその監視システム特有の方式としていたため、汎用のコンピュータと通信するのが困難だった。そのため、試運転の際に専用のデータ入力装置を準備する必要があり、試運転を実施する際には、専用のデータ入力装置とその操作をマスターしたオペレータを準備する必要があった。
【特許文献１】特開平１１−３６１２３７号公報
【発明の開示】
【発明が解決しようとする課題】
【０００９】
上記の従来の問題を整理すると、以下のようになる。
（１）変換テーブル（監視装置の設定ファイル）を作成する作業工数が大きいこと
監視端末と監視装置が通信に使用する数値データを、信号名称や信号のアナログ数値や接点信号のオンオフの値に変換して表示するために、監視装置内に、変換テーブル（監視装置の設定ファイル）を作成することが必要である。この変換テーブルを作成する作業工数が大きく、監視装置を新たに導入する際には、監視装置が高価なものになる原因となっていた。このため、監視装置を導入するための障害になっていた。また、監視装置の変換テーブルを作成するためには、監視装置に関する専門的な知識が必要であったため、専門家が作業をする必要があった。このことも変換テーブル作成のためのコストアップの要因となっていた。
【００１０】
（２）試運転時の作業工数が大きいこと
従来は、監視装置の試運転時の作業工数が大きかった。試運転時の作業工数を大きくするための要因には、次のようなものがあった。（イ）試運転時には、監視装置の専門的な知識を持った専門家が監視装置を設置する中央監視室まで、出かける必要があった。（ロ）監視装置内に設定する変換テーブルを手作業で作成していたため、その内容が正しいか、試運転時に確認する必要があった。（ハ）試運転時のチェックリストを作成する工数がかかった。チェックリストは、監視装置で監視する信号１項目づづに対応したリストとして作成するものであり、多数の項目を手作業で確認して作成していた。
【００１１】
（３）監視設備の変更、増設時に試運転作業が必要なこと
監視システムを導入後しばらくして、監視対象となる機場の設備が変更になったり、機場の数が増える場合が多い。従来は、小規模な変更、増設であっても、監視装置の変換テーブル等の設定変更が必要なため、専門家が中央監視室まで出向いて試運転作業を実施する必要があり、コスト高の原因となっていた。
【課題を解決するための手段】
【００１２】
上記の問題点を踏まえ、本発明においては、以下のように対応を図るものとする。
（１）変換テーブルを監視装置が自動で作成する
監視装置が監視端末内に設定された設定データを取込み、監視端末と監視装置が通信に使用する数値データを、信号名称や信号のアナログ数値や接点信号のオンオフの値に変換して表示する変換テーブルを自動で作成する。監視装置は、試運転開始直後で特別な設定をする前であっても、通信条件をあらかじめ標準状態に設定しておくことにより監視端末と通信できる。標準の通信条件で、監視装置を監視端末と通信させて、監視端末内に設定された設定データを自動で取り込む。自動で監視端末内の設定データを取込むことにより、最初に現場側で監視端末の試運転し、その後に現場と中央を通信回線で結んで、監視システム全体で試運転する、という手順を踏む必要がなく、現場側で監視端末の試運転をすればその後自動で、現場と中央を通信回線で結んで、監視システム全体で試運転することができる。監視端末に単独の試運転で作成された設定データを監視装置側でも自動で利用する。
【００１３】
以上の動作により、試運転時の変換テーブル作成の作業工数を低減することができる。また、変換テーブルを自動で作成するため、変換テーブルを手作業で作成する場合に比べ、入力ミスによる手戻りを減らすことができる。また、変換テーブルの元になる現場側の設定データ作成作業１回だけが実質的に必要な作業になる。現場の信号名称や、信号の種類が何であるかを正確に確認しながら、設定データとして監視端末に入力する作業だけが必要になり、その試運転結果を正のものとして監視装置に採用するこの方法が合理的なものである。
【００１４】
（２）専門的な知識がなくとも自動で作成することにより、変換テーブルと試運転時のチェックリストを作成し試運転ができるようにする。
試運転時に、監視端末内の設定データを監視装置に取り込み前に、監視装置の操作員は監視装置上に監視端末の電話番号を設定する。その結果、監視装置は電話番号で指定された監視端末と通信し、監視端末内の設定データを取込み、変換テーブルを自動で作成する。この後、監視装置は、試運転時のチェックリストを変換テーブルの情報を用いて自動で作成する。これらの動作により試運転工数を削減することができる。
【００１５】
ここで、電話番号は一般に理解しやすい通信条件であり、電話番号だけの設定で通信可能になれば、監視装置を試運転する際に監視装置の内部に関する専門的な知識が不要になる。また、試運転チェックリストを監視装置が自動で作成することにより、試運転作業が慣れていない操作員に対しても、試運転の内容を正確に指示することが可能になる。
【００１６】
（３）監視設備を変更する時や増設する時に、監視装置が変換テーブルを自動で作成し専門家による試運転作業を不要とする。
変換テーブルの変更と追加においても、監視端末の電話番号を設定することにより、監視装置の動作で実行できる。このため、監視システムの軽微な変更（設備の変更、監視端末の追加）に対して、専門家が監視の中央監視室まで出向く必要がなくなる。これにより、専門的な知識がなくとも監視システムの変更に対応して監視装置の設定変更ができるため、監視システムの維持管理に要するコストを低減することができる。
【００１７】
すなわち、本発明は、監視する設備の監視データを送信する監視端末と、通信制御部、記憶部、表示部、入力部及び制御部を備え、前記監視端末からの監視データを受信し表示する監視装置とからなる監視システムであって、前記監視装置は、監視データを表示する際に該監視データの変換に使用する設定データを監視端末から受信し記憶部に記憶する手段を有する監視システムである。
【００１８】
また、本発明は、通信手段と、通信プログラムを記憶する記憶装置と、通信プログラムを実行するＣＰＵとを備える監視装置であって、監視する設備の監視データを送信する監視端末からの設定データを受信して記憶装置に記憶し、該記憶装置に記憶した設定データを使用して、監視端末が送信する数値データを、信号名称や信号のアナログ数値や接点信号のオンオフの値に変換して表示する手段を有する監視装置である。
【００１９】
そして、本発明は、操作員が入力した入力データを利用し、上記監視端末と送受信して試運転時チェックリストを作成する手段を有する監視装置である。
【００２０】
更に、本発明は、監視データを受信し表示する監視装置に、監視する設備の監視データを送信する監視端末であって、前記監視装置が監視データを表示する際に該監視データの変換に使用する設定データを、該監視装置に送信する手段を有する監視端末である。
【００２１】
また、本発明は、通信手段と、通信プログラムを記憶する記憶装置と、通信プログラムを実行するＣＰＵとを備える監視装置に使用されるコンピュータ・ソフトウエアであって、監視する設備の監視データを送信する監視端末からの設定データを受信して記憶装置に記憶する機能と、該記憶装置に記憶した設定データを使用して、監視端末が送信する数値データを、信号名称や信号のアナログ数値や接点信号のオンオフの値に変換して表示する機能とをコンピュータに実現させるプログラムからなるコンピュータ・ソフトウエアである。
【発明の効果】
【００２２】
本発明によれば、作業者の作業工数を減らし、専門的な知識を不要とする監視システム及び監視装置と監視端末を得ることができる。
【発明を実施するための最良の形態】
【００２３】
本発明を実施するための最良の形態を説明する。
本発明の監視システム及び監視装置と監視端末の一実施例について、図面を用いて説明する。図１は監視システム全体の構成の説明図である。監視システムは、少なくとも監視端末１４０〜１４４と監視装置１１１とを備えている。監視室に設置された監視装置１１１は、モデム１１２を使用し、ＬＡＮ又は電話回線１３０を介して監視端末１４０〜１４４と通信し、監視対象の設備の運転状態を監視する。この監視システムの基本的な機能は３つある。一つめは、監視対象の設備のリアルタイムのデータを監視装置１１１の画面上に表示すること。二つめは、監視対象１４０〜１４４の設備に故障があると、監視装置１１１が警報メールを送信し、故障を設備の管理者に知らせること。三つめは、監視装置１１１が監視端末１４０〜１４４内に保存されている運転記録を収集し、保存することである。
【００２４】
監視装置１１１は、監視室と監視端末１４０〜１４４が通信するための補助をするとともに、監視端末１４０〜１４４内のデータを収集して、保存する機能がある。パソコン１００、１０１、１１０は、監視装置１１１内のデータを表示する。監視室内のパソコン１１０は、ＬＡＮを介して監視装置１１１内に保存されたデータを表示する。パソコン１００、１０１は監視室外にあっても、ネットワークを経由して監視装置１１１内に保存されたデータを表示することができる。
【００２５】
監視端末１４０〜１４４は、監視装置の機能を使用しなくとも、監視端末だけの機能で、監視対象の設備を監視するための最小限度の機能を持つ。すなわち、故障が発生すると監視端末１４０〜１４４は、警報を警報通報先の電話機１０２に音声で通報する機能とメールサーバー１５１に接続して、警報メールで携帯電話機１５０に通報する。この機能により、監視対象設備に異常がある場合、設備の管理者は、異常を短時間に気付いて設備まで行き、メンテナンスを実施して、設備の維持管理を図ることができる。
【００２６】
簡易なシステムにおいては、監視装置１１１なしで監視端末１４０〜１４４と音声通報先１０２、携帯電話１５０だけでシステムを形作る場合もある。
【００２７】
監視端末１４０〜１４４が監視装置１１１なしでも動作する機能を持つため、監視端末１４０〜１４４には、監視対象設備の状態を音声やメールで表現するためのデータが保存されている。
【００２８】
図２（ａ）（ｂ）は、監視端末１４０（〜１４４）と監視装置１１１のブロック図を示す。監視端末の制御部１４８は、監視端末のプログラムを実行する装置であり、設備監視部１４５、記憶部１４６、通信制御部１４７の機能を動作させる。設備監視部１４５は、監視対象設備の運転信号を入力する。記憶部１４６は制御部１４８で動作するプログラムにより、設備監視部１４５から入力された信号をプログラムの動作によって記録し、記録内容を保存するための装置である。通信制御部１４７は電話回線等の通信回線に接続し、監視装置、電話機、メールサーバー等の種々の上位側の装置と通信する。
【００２９】
監視装置１１１の制御部１２５は、監視装置のプログラムを実行する装置であり、通信制御部１２１、記憶部１２２、表示部１２３、入力部１２４の機能を動作させる。通信制御部１２１は、監視室内のＬＡＮに接続してパソコン１１０及び監視端末１４０と通信するとともに、モデム１１２を制御して監視端末１４１〜１４４が接続されている通信回線１３０に接続し、監視端末と通信する。表示部１２３は、監視装置本体のＣＲＴ、又はＬＡＮを経由して接続されるパソコンであり、監視装置内部のデータを表示する装置である。入力部１２４は、監視装置本体のキーボードやマウス等の入力装置、又はＬＡＮを経由して接続されるパソコンのキーボードやマウス等の入力装置である。監視装置１１１は、サーバーとして動作し、監視装置内に保存されている監視対象の設備の運転記録をパソコンや表示部１２３に表示したり、モデム１１２を利用して監視端末１４１〜１４４４と通信し、オンラインで監視対象設備の現在値を表示したり、監視端末１４０〜１４４から送信されてくる警報データを表示する。
【００３０】
図３に電話番号リストの一例を示す。この監視端末１〜監視端末Ｎの電話番号のリストは、操作員が監視装置１１１を操作して入力し、監視装置内に保存する。このリストを作成するのは、監視システムを初めて動作させる試運転時か、システムの構成に変更が出た時にその変更の状態を監視装置１１１に反映させる時である。
【００３１】
監視端末１４０〜１４４の電話番号を操作員が手動操作で入力して、監視装置１１１を動作させると、監視装置は、個々の監視端末１４０〜１４４と通信して、監視端末内に保存されている初期設定データを読み出す。これらの初期設定データを使用して、監視装置１１１が監視システムを動作させる。
【００３２】
この例では、電話番号を指定して監視装置１１１が監視端末１４０〜１４４と通信するように設定した例であるが、使用する通信回線１３０によっては、電話番号に限らない。たとえば、ＬＡＮのような通信回線では、電話番号ではなくＩＰアドレスによって監視装置１１１が監視端末１４０〜１４４を識別できるため、そのような回線では、電話番号ではなくＩＰアドレスを使用することができる。
【００３３】
図４と図５に監視端末内に保存されている初期設定データの一例を示す。図４は、監視端末１４０〜１４４が監視する接点データの初期設定データの図表である。図５は、アナログデータの初期設定データの図表である。図４の接点データの初期設定データは、監視端末１４０〜１４４に接続される接点信号が何のデータであるかを示す。例えば、この図表の中の機器名称が「Ｎｏ．１ポンプ運転」という接点信号がＯＮしていれば、「Ｎｏ．１ポンプが運転している」ことを意味している。同様に、「Ｎｏ．１ポンプ故障」信号がＯＮしていれば、Ｎｏ．１ポンプが故障していることを意味する。図５では、例えば、「水位」を示すアナログ信号をどのように解釈できるかを意味している。すなわち、アナログ信号の最大値が入力されれば、スパンで示す５ｍの水位であると解釈できることを意味する。アナログ信号の最小値が入力されれば、スパンで示す０ｍの水位であると解釈できる。また、信号の単位がｍで、アナログ信号の取り得る範囲が０〜５ｍであり、上限の設定値が３．５ｍで下限の設定値が０ｍであることを示す。上限を超えたアナログ値が入力された場合、及び下限を下回るアナログ値が入力された場合は、警報として監視端末１４０〜１４４が通報することを示している。
【００３４】
また、図４の信号アドレスとビットは監視端末の信号割付のどこに入力されるデータであるかを示す。すなわち、「Ｎｏ．１ポンプ運転」は、ＷＲ００００のビット０という接点信号に接続されており、「Ｎｏ．１ポンプ故障」はＷＲ００００のビット１という接点信号に接続されていることを示している。これらの割り付けの具体的な配線の様子の一例を図９に示している。
【００３５】
同様に、図５の信号アドレスは、アナログ信号が監視端末１４０〜１４４のどこに入力されてくる信号であるかを示している。この割付の具体的な配線の様子の一例を図９に示している。
【００３６】
これらの図４、図５に示すような初期設定データは、従来は、監視端末１４０〜１４４に設定するとともに、監視装置１１１にも個別に設定していた。本発明では、監視端末１４０〜１４４の初期設定データを保存し、そして、監視端末１１１の電話番号を監視装置１１１に設定すると、監視装置１１１は設定した電話番号をもとに監視端末１４０〜１４４と通信し、監視端末１４０〜１４４からこれらのデータを自動で取得し、監視装置１１１の動作に使用する。
【００３７】
さらに監視端末１４０〜１４４は、警報通報の機能を持つため、警報通報の内容に関する初期設定データも持つ。警報通報の初期設定データの例を図１３に示す。図１３の中で、範囲１０００は上記に示した、接点データとアナログデータの初期設定データであり、範囲１００１が警報通報の手段を示す初期設定データである。
【００３８】
図６〜図８にこれらの初期設定データを使用して、監視装置の画面に表示される内容の例を示す。これらは監視装置と監視端末が通信して、監視端末側の監視対象の設備の運転状態の現在値を示す画面である。図６は、画面に表示される監視対象の設備フロー図である。フロー図は、設備の個々の機器の関連を図に示したものである。図７は接点リストで接点信号の現在値の一例を示す。ここで、「Ｎｏ．１ポンプ運転」は信号アドレスＷＲ００００のビット０に入力される信号で、現在その信号がＯＮになっている（Ｎｏ．１ポンプが運転している）ことを示す。Ｎｏ．１ポンプ故障から２００Ｖ停電までの接点信号はＯＦＦになっていることを示す。
【００３９】
図８はアナログ信号の現在値を画面に表示している例である。水位が信号アドレスＷＲ００００からの信号であることを示し、信号の現在値が４．７ｍであることを示す。
【００４０】
図９に監視端末側で接点信号とアナログ信号が具体的にどのように配線されているかの例を示す。監視装置６００は、中央にあり、電話回線６０１で監視端末と通信する。監視端末は、通信ユニット６０３とＩ／Ｏユニット６０７からなる。通信ユニットは、監視装置６００と通信するための、ＣＰＵ、メモリ、プログラムを備え、監視対象の運転状態を一時的に記録、保存する機能を持つ。また、接点信号の中の警報信号がＯＮになった時及びアナログ信号が上限、下限の範囲を超えた時に警報通報するプログラムも、通信ユニット６０３内に備えている。
【００４１】
Ｉ／Ｏユニット６０７は、接点信号、アナログ信号を取込むための装置である。図９で、Ｎｏ．１ポンプ運転信号は、オン，オフする接点信号として、Ｉ／Ｏユニット６０７に接続される様子を示す。Ｉ／Ｏユニット６０７に接続される順番で、信号のアドレスとビットが決まる。すなわち、図９でＩ／Ｏユニット６０７の０番端子と２４Ｖ端子に接続される接点信号（Ｎｏ．１ポンプ信号）６０８はＷＲ０１００のビット０として入力される。同様に、端子１と２４Ｖに接続される接点信号（Ｎｏ．１ポンプ故障）６０９はＷＲ０１００のビット１として入力される。
【００４２】
アナログ信号は、図９の例では２点入力されるが、最初のアナログ信号（水位）６１１は、ＩＮ１−端子とＩＮ１＋端子間に接続され、ＷＲ００００の信号アドレスに入力される。２番めの端子に接続されたアナログ信号（Ｎｏ．１ポンプ信号）６１２は、ＷＲ０００１のアドレスに入力される。
【００４３】
図１０、図１１では、初期設定ファイルを監視装置７０１が監視端末７０４〜７０６から取得した後、監視装置７０１と監視端末７０４〜７０６がどのような通信をするかを示す。
【００４４】
監視装置と監視端末が通信する場合には、「Ｎｏ．１ポンプ運転」、「ＯＮ」や「水位」、「４．７ｍ」という具体的な信号名称、物理量そのものを通信回線には流さず、この実施例のように英数字のデータとして通信する。これは、データ化して通信量を減らし通信速度を上げ、通信コストを下げるとともに、コンピュータのデータとして処理しやすい英数字のデータ（バイナリデータ）の形で通信するためである。
【００４５】
図１０で監視装置７０１は監視端末７０４〜７０６に対して現在値を表すデータを送信するように、問い合わせする。ここでは、「ｆｔｐ  １９２．１６８．１０．１０・・・」という問い合わせを実施する。これに対して、監視端末７０４〜７０６は応答して、応答ファイル「ＷＲ００００  ０Ｆ１０・・・・」を応答する。このようなデータのやり取りで、監視端末７０４〜７０６側の監視対象設備の現在値が監視装置７０１に送信される。
【００４６】
図１１では、この電文について詳しく示す。監視装置７０１から監視端末７０４〜７０６に対して送信される問い合わせ電文は、ｆｔｐという通信プロトコルを使用して、監視端末７０１からｉｎｓｔａｎｔ．ｄａｔというファイルを送信するように要求する（問い合わせする）。ｉｎｓｔａｎｔ．ｄａｔは、監視端末７０４〜７０６内にあるファイルであり、監視対象の現在値を示したファイルである。
【００４７】
監視端末７０４〜７０６から応答として送信される応答ファイルのデータの詳細の一例を図１１の下半分に示す。
【００４８】
図１２にこれらのデータの解釈方法の一例を示す。この表の例では、アナログデータはＷＲ００００〜ＷＲ０００２に割当てられている。ＷＲ００００の値は、２進数値で示すと、００００１１１１０００１００００、１６進数で示すと０Ｆ１０である。アナログデータは１２ビットでＡＤ変換された結果の値であるため、最小値が１６進数で００００、最大値は０ＦＦＦの範囲を取る。また、図５に示す初期設定データの水位に関する設定から、最大値の０ＦＦＦの値を取る時、水位は５ｍと解釈する。したがって、データがＯＦ１０の時は、０Ｆ１０÷０ＦＦＦ×５＝４．７で、水位の現在値は４．７ｍとなる。この計算を監視装置７０１側で実施し、現在値の表示欄に水位を４．７ｍと表示する。
【００４９】
デジタルデータのエリアは、この図表の例では、ＷＲ０１００〜ＷＲ０１０２である。図４で、Ｎｏ．１ポンプ運転の信号はＷＲ０１００の０ビットめであると設定されていた。図１２の現在値は、ＷＲ０１００のビット０は、１であるため、Ｎｏ．１ポンプは運転していると解釈する。この結果、監視装置７０１は、現在値を表示欄にＮｏ．１ポンプ運転はオンと表示する。
【００５０】
以上のようにして、通信して取得したデータと初期設定データから、監視装置７０１は現在値を表示する。
【００５１】
図１３に試運転に実施するチェックリストの一例を表示する。監視装置は初期設定データから自動でこの試運転チェックリストを出力する。図表の下側に図表の範囲を１０００、１００１、１００２で示した。表の範囲１０００はデジタルとアナログの初期設定データである。図表の範囲１００１は、警報通報の内容を示す初期設定データである。図表の範囲１００２は、試運転時に、動作がうまくいったかどうかをチェックするための欄で、試運転実施の作業者が手で入力するための欄である。この試運転チェックリストは、監視端末１台ごとに作成される。
【００５２】
試運転の際には、信号を実際に監視端末に入力し、監視端末と監視装置が通信した結果、監視装置上に現在値が正しく表示されるか、警報通報が実施されるか、警報通報される内容が正しいかをチェックする。監視端末側に信号を入力するための試運転員が行き、試運転チェックリストの順に従って、監視端末にテストのための信号を記入（入力）して行く。
【００５３】
監視端末側の試運転員は、水位を入力するアナログの端子に水位の最大、最小、特定値に相当する模擬のアナログ信号を入力する。この結果、監視装置に正しく値が表示されるか、監視装置側にいるもう一方の試運転員が確認する。また、上限、下限値を超えた時、警報通報の設定通りに、警報通報が実施されるかを試運転する。この例では、通報先は、デフォルト（特別に通報先を設定しない場合に通報する標準通報先）で、音声通報とメール通報をするかどうかを確認する。上記の試運転をした結果、動作が正しければ、試運転員は、図表の範囲１００２の欄に、丸印を記入する。
【００５４】
接点信号の試運転も同様にし、監視端末側の試運転員が、ＷＲ０１００のビット０に仮の接点信号を入力し、通信をした結果、監視装置にポンプ運転が表示されるか、必要な警報通報を実施したかをチェックし、その結果を記入する。
【００５５】
図１４を使用して、本発明の結果、試運転の効率がどのように変化したかを説明する。監視システムの試運転は監視端末側の試運転と監視装置の試運転に分けられる。
【００５６】
監視端末の試運転では、この図表の１から７の順で作業を行う。１．監視端末を動作させるための設定データを作成する。設定データには、通報先の電話番号、信号名称、信号のアドレス、警報かどうか、アナログのスパン、アナログの単位などがある。２．試運転チェックリストを作成する。３．監視端末と監視端末に設定データを書き込むための設定装置を接続する。４．設定データを監視端末に書き込む。５．仮の信号を監視端末に入力する。６．監視端末の動作を確認する。７．試運転の報告書を作成する。本発明では、監視端末の試運転作業は従来通りである。従来も、本発明でも、監視端末の試運転は、監視端末の操作方法の教育を受けたサービスマンが１名で実施する。監視端末は監視装置なしでも単独で動作することができるため、試運転も単独で実施する。
【００５７】
監視端末側の試運転が終了したら、監視装置側の試運転を実施する。その試運転の作業手順を図１４の、８から１３に示す。８．監視装置側の設定データの作成は、従来は、監視装置のソフトウェアの専門家が行っていた。これに対して、本発明では、監視装置に監視端末の電話番号をリスト形式で入力すると、監視装置が自動で監視端末と通信して、監視端末内に保存されている設定データを収集して来る。また、収集したデータを監視装置の設定データとしても使用する。監視端末内に保存された設定データは試運転を実施してその内容を確認したものであり、監視装置ではそのまま使用することができる。９．試運転チェックリストの作成は、従来は、ソフトウェア専門家が監視装置の設定データに合わせて、手作業で作成していたが、本発明では、監視装置が監視端末から収集して来たデータを元に自動で作成する。１０．監視端末との通信条件の設定は、従来はソフトウェア専門家が手動で監視装置に対して設定していたが、本発明では、電話番号リストを元に、監視装置が自動で設定する。表１の電話番号リストにあるように、監視端末１台ごとにその電話番号を手動で監視装置に設定する。監視端末は、監視装置と通信をする前は、デフォルトのＩＰアドレスで通信できるが、監視装置が自動で監視端末ごとにことなるＩＰアドレスを振る。ＩＰアドレスを監視端末ごとに別々のものにすることにより、ルーター等の通信機器を使用する通信が可能となる。ルーターを使用しない場合には、ＩＰアドレスを別々に設定する必要はない。このような通信条件の設定作業を監視装置が自動で実施する。１１．監視端末への信号の入力、１２．その動作の確認、１３．報告書の作成は自動ではできなく、従来通りに実施する。
【００５８】
１１．から１３．の作業は、従来通りであるが、従来は、監視装置の試運転には、８から１０の作業で、ソフトウェアの専門家の作業が必要であったが、本発明では、その必要がなく、監視装置の試運転をサービスマン２名だけでできるようになるため、監視装置の試運転のコストが低減され、また、試運転ができる作業員の範囲が増えるため、試運転作業の効率が向上する。さらに、作業手順の８から１０までが自動化されるため、試運転の作業工数が低減され、監視システム構築するためのコストの中で大きなウェイトを占める試運転作業のコストが低減される。この結果、監視システムのコストを低減することができる。
【００５９】
また、従来手作業で実施していた８から１０の作業を自動で実施するため、作業ミスによる手戻りを減らすことができ、試運転の効率を向上させることができる。
【００６０】
さらに、監視システムは、通常年度ごとに、監視端末の数を増やしてゆく場合があるが、このような時に、毎年度ごとにソフトウェア専門家に監視装置の設定作業を依頼する工数が大きかったため、年度によっては、監視装置側の設定変更ができない場合があった。本発明によれば、サービスマンだけで監視装置の設定変更と試運転ができるため、年度ごとの監視端末増設に対する負担を軽減することができる。
【００６１】
なお、上記実施例では監視装置を説明したが、通信手段と、通信プログラムを記憶する記憶装置と、通信プログラムを実行するＣＰＵとを備える監視装置に使用されるコンピュータ・ソフトウエアであって、監視する設備の監視データを送信する監視端末からの設定データを受信して記憶装置に記憶する機能と、該記憶装置に記憶した設定データを使用して、監視端末が送信する数値データを、信号名称や信号のアナログ数値や接点信号のオンオフの値に変換して表示する機能とをコンピュータに実現させるプログラムからなるコンピュータ・ソフトウエアを用いることにより、従来の監視装置を本発明の監視装置とすることができる。
【図面の簡単な説明】
【００６２】
【図１】システム全体の構成の説明図。
【図２】監視装置（中央側）と監視端末（機場側）のブロック図。
【図３】監視装置の試運転を始める際に入力する電話番号のデータの一例の説明図。
【図４】接点信号を監視する際に監視装置と監視端末に必要なデータの一例の説明図。
【図５】アナログ信号を監視する際に監視装置と監視端末に必要なデータの一例の説明図。
【図６】監視装置の画面に表示される設備のフローの一例の説明図。
【図７】監視装置の画面に表示される接点信号のリストの一例の説明図。
【図８】監視装置の画面に表示されるアナログ信号のリストの一例の説明図。
【図９】機場側の監視端末に接続される信号の一例の説明図。
【図１０】試運転終了後の通信の方法の一例の説明図。
【図１１】通信されるデータの具体例の説明図。
【図１２】通信されるデータの具体例の説明図。
【図１３】試運転に使用されるチェックリストの一例の説明図。
【図１４】試運転手順の一例の説明図。
【符号の説明】
【００６３】
１００、１０１、１１０  パソコン
１０２  音声通報先電話機
１１２  モデム
１２１  通信制御部
１２２  記憶部
１２３  表示部
１２４  入力部
１２５  制御部
１３０  電話回線
１４０〜１４４  監視端末
１４５  設備監視部
１４６  記憶部
１４７  通信制御部
１４８  制御部
１５０  携帯電話機
１５１  メール・サーバー
【図１】
2005115436.tif 000003
【図２】
2005115436.tif 000004
【図３】
2005115436.tif 000005
【図４】
2005115436.tif 000006
【図５】
2005115436.tif 000007
【図６】
2005115436.tif 000008
【図７】
2005115436.tif 000009
【図８】
2005115436.tif 000010
【図９】
2005115436.tif 000011
【図１０】
2005115436.tif 000012
【図１１】
2005115436.tif 000013
【図１２】
2005115436.tif 000014
【図１３】
2005115436.tif 000015
【図１４】
2005115436.tif 000016